(57)【要約】【課題】把手を無理なく把持したまま粘着テープの貼付け及び切断等の作業を行うことができると共に、小型化を図ることができる粘着テープカッターを提供する。【解決手段】ロールホルダー７にセットしたロール状の粘着テープ２をテープ貼付部６側に繰り出し、押接ロール１５によって被貼付部材Ｗに貼付けると共に、貼付けた粘着テープ２を切歯３によって切断する粘着テープカッターにおいて、把手９の上部にテープ巾を有する支持台８を形成し、該支持台８の一側に本体フレームを形成する板状の側壁５を立設し、側壁５の前後に押接ロール１５及び切歯３を有するテープ貼付部６とロールホルダー７を支持台８側に臨ませて設置した構成とする。【選択図】  図２
2006151661.tif 000002
【特許請求の範囲】
【請求項１】
ロールホルダー（７）にセットしたロール状の粘着テープ（２）をテープ貼付部（６）側に繰り出し、押接ロール（１５）によって被貼付部材（Ｗ）に貼付けると共に、貼付けた粘着テープ（２）を切歯（３）によって切断するものにおいて、把手（９）の上部にテープ巾を有する支持台（８）を形成し、該支持台（８）の一側に本体フレームを形成する板状の側壁（５）を立設し、側壁（５）の前後に押接ロール（１５）及び切歯（３）を有するテープ貼付部（６）とロールホルダー（７）を支持台（８）側に臨ませて設置してなる粘着テープカッター。
【請求項２】
押接ロール（１５）の外周面に沿って繰り出される粘着テープ（２）を、支持台（８）の前側に設けた押接部材（４０）によって押接ロール（１５）側に押圧付勢する請求項１の粘着テープカッター。
【請求項３】
切歯（３）の後方上方に弾力性を有する押接板（１６）を設けた請求項１又は２の粘着テープカッター。
【請求項４】
被貼付部材（Ｗ）に貼付けられた粘着テープ（２）を切開するカッター（２１）を、テープ貼付部（６）の前側に切断姿勢と格納姿勢とに切換可能に設けた請求項１又は２又は３の粘着テープカッター。
【発明の詳細な説明】
【技術分野】
【０００１】
本発明は、ダンボール箱や封筒等の被貼付部材に粘着テープの貼付けを行う粘着テープカッターに関する。
【背景技術】
【０００２】
従来、ロールホルダー（回転軸部）にセットしたロール状の粘着テープをテープ貼付部側に繰り出し、押接ロールによってダンボール箱等の被貼付部材に貼付けると共に、貼付けた粘着テープを切歯によって切断する粘着テープカッターは、特許文献１に示されるように公知である。
【０００３】
この粘着テープカッターによる貼付け作業は、親指以外の４本の指を本体の回転軸部の中に入れ、親指を粘着テープカバーに押し当てて片手で本体を握り、粘着テープの接着面側を押接ロールを介して被貼付部材に接着固定した状態で、本体を後方に引動しながら繰り出して貼付ける。また貼付けられる粘着テープの終端（切断位置）は切歯によって切断して一連の貼付け作業が行われる。
【特許文献１】実用新案登録第３０９２１７６号公報
【発明の開示】
【発明が解決しようとする課題】
【０００４】
然し、上記特許文献１で示される粘着テープカッターは、親指を粘着テープカバーに押し当て親指以外の４本の指を本体の回転軸部の中に入れて本体を上方から握るので、押接ロールを介し粘着テープでダンボール箱の左右の蓋を閉じようとするとき、手首を下方に大きく曲げて貼付けねばならず、後方への本体の引動を行い難い欠点がある。また貼付けた粘着テープを切断する際に、手首をさらに下方に曲げて切歯を粘着テープに押し付けてから行わねばならない等の問題がある。
【０００５】
さらに、例えばダンボール箱に貼付けられた粘着テープを切開し蓋を開き、開いた蓋を再び粘着テープを貼付けて閉じる等の場合に、特許文献１の粘着テープカッターは、蓋開き専用のテープ切開カッターを別に準備する必要がある。またテープ切開カッターを使用した後は、粘着テープカッターに持ち替えてダンボール箱の蓋閉じ貼付け作業を行なわねばならない等の煩雑さがある。
【課題を解決するための手段】
【０００６】
上記課題を解決するための粘着テープカッターは、第１に、ロールホルダー７にセットしたロール状の粘着テープ２をテープ貼付部６側に繰り出し、押接ロール１５によって被貼付部材Ｗに貼付けると共に、貼付けた粘着テープ２を切歯３によって切断するものにおいて、把手９の上部にテープ巾を有する支持台８を形成し、該支持台８の一側に本体フレームを形成する板状の側壁５を立設し、側壁５の前後に押接ロール１５及び切歯３を有するテープ貼付部６とロールホルダー７を支持台８側に臨ませて設置してなる粘着テープカッター。
【０００７】
第２に、押接ロール１５の外周面に沿って繰り出される粘着テープ２を、支持台８の前側に設けた押接部材４０によって押接ロール１５側に押圧付勢することを特徴としている。
【０００８】
第３に、切歯３の後方上方に弾力性を有する押接板１６を設けたことを特徴としている。
【０００９】
第４に、被貼付部材Ｗに貼付けられた粘着テープ２を切開するカッター２１を、テープ貼付部６の前側に切断姿勢と格納姿勢とに切換可能に設けたことを特徴としている。
【発明の効果】
【００１０】
上記のように構成される本発明によれば、把手の上部に形成される支持台の一側に立設した側壁に、テープ貼付部とロールホルダーを支持台側に臨ませて前後に設置したので、側壁と支持台と前側のテープ貼付部とで形成される空間部内に、粘着テープを嵩張ることなくコンパクトにセットし粘着テープカッターを小型化することができる。また支持台から下方に延長した把手は無理なく把持することができ、粘着テープの貼付け及び貼付け直後の切断を簡単な操作によって行うことができる。
【００１１】
押接ロールの外周面に沿って繰り出される粘着テープを、支持台の前側に設けた押接部材によって押接ロール側に押圧し案内することにより、繰り出される粘着テープを押接ロールの外周面から離間させないで貼付け作業を精度よくスムーズに行うことができる。また押接部材を押接ロールに対し、支持台から簡単な構成によって安定よく押接することができる。
【００１２】
切歯の後方上方に設置された弾力性を有する押接板は、被貼付部材Ｗに貼付けられる粘着テープの終端が切歯で切断され浮き上がり状態となる自由端に対し、切断直後の把持姿勢を大きく変えないで押し当て均し移動することができ、粘着テープの終端を簡単に貼付けることができる。
【００１３】
テープ貼付部の前側に切断姿勢と格納姿勢とに切換可能なカッターを設けたことにより、被貼付部材に貼付けられた粘着テープを切断する専用のカッターを別に用意することなく、粘着テープカッターを利用し利便性を有して貼付け作業と共に切断作業を行うことができる。またカッターを格納姿勢に切り換えることにより、粘着テープの貼付け作業をカッターに支障されることなく行うことができる。
【発明を実施するための最良の形態】
【００１４】
以下図示する本発明の実施形態について説明する。図１は粘着テープカッター１にロール状の粘着テープ２をセットした状態で、切歯３の先端部を切歯カバー４で覆った状態を示す全体図である。図２は粘着テープカッター１の全体構造と、切歯カバー４を上方に回動し切歯３を露出させて行う粘着テープ２の貼付け作業の態様を示す側面図である。
【００１５】
図示する粘着テープカッター１は、本体フレームを形成する平鉄板状の側壁５と、該側壁５の内側に粘着テープ２の繰り出し支持間隔を有して前後方向に設置されるテープ貼付部６とロールホルダー７と、該テープ貼付部６とロールホルダー７の間で側壁５の下部を支持台８の一側面（右側）に取付支持する把手９等から構成される。
【００１６】
以下各部の詳細な構成について説明する。図３，図４で示すようにテープ貼付部６の貼付部フレーム１０は、縦方向の側壁部１１の内側の上下に、テープ巾よりもやや長く形成した取付座１２と円柱状のロール軸１３を設け、正面視で略コ字状をなすように一体的に形成される。そして、貼付部フレーム１０は、側壁５の内面に取付座１２とロール軸１３を接当した状態で、それぞれに側壁５の外側から取付ネジ１４，１４を挿入し締着することにより取付固定される。
【００１７】
この際、ロール軸１３は粘着テープ２を押接する押接ロール１５が予め遊転自在に嵌挿されて取付固定される。押接ロール１５は弾力性を有するゴム又は合成樹脂材によって粘着テープ２の巾よりやや広巾筒に形成され、中心部に穿設した取付孔をロール軸１３に回転可能に挿入される。
【００１８】
また取付座１２の前側上面には、被貼付部材Ｗに貼付けた粘着テープ２を所定位置で切断する切歯３と、該切歯３の後方にあって弾力性及び透明性を有した押接板１６と、切歯３の先端部を開閉可能に覆う切歯カバー４をヒンジ部を介して接続するカバー座４ａを重ね、これらを複数の取付ネジ１７によって共締めして着脱可能に取付固定する。
【００１９】
上記押接板１６は切歯３の後方上方において後退方向に傾斜させて設けることが望ましいものである。これにより図２の点線で示すように、貼付けられた粘着テープ２が切歯３によって切断されて自由端となる終端を押接板１６の先端で押圧し貼付けることができる。従って、押接板１６を有する粘着テープカッター１は、粘着テープ２を貼付けて切断した後に自由端となる部分の貼付け作業も、把手９を把持した姿勢のまま能率よく行うことができる。また押接板１６は、粘着テープ２の保護も行う。
【００２０】
また取付座１２の前面側は、押接ロール１５と切歯３の間を平坦面で覆うスペーサー面１９が形成される。このスペーサー面１９は貼付け作業後に切断される粘着テープ２の先端部を位置決め支持することができる。スペーサー面１９には取付座１２の材質と異なる支持用のフィルムＦが貼着されている。フィルムＦには複数の孔が設けられており、切歯３で切断された粘着テープ２の自由端が貼り付く。これにより切歯３で切断された粘着テープ２の自由端が支持され、次位の貼付け作業を容易に行うことができる。
【００２１】
また縦方向の側壁部１１は側面を略同形状の側壁カバー２０によって開閉可能に覆い、両者間にカッター２１を出没可能に収容させる中空状のカッター室２２を形成する。
そしてカッター室２２は、ナイフ状のカッター２１をネジ２３によって着脱可能に取付固定するカッター取付台２５がスライド支持構造を以て収容される。
【００２２】
図示例の粘着テープカッター１は、カッター取付台２５のスライドに基づきカッター２１を突出させるカッター孔２６を、図１，図４に示すように側壁カバー２０の前面上部に開口させている。これによりカッター孔２６から突出するカッター２１は、被貼付部材Ｗとしてのダンボール箱の蓋閉じに貼着された粘着テープ２等の切開作業を、切開専用カッターを別途に準備することなく、貼付け作業と同様の把持姿勢によって簡単に行うことができる。
【００２３】
上記スライド支持構造は、カッター取付台２５に穿設した取付孔２７に操作部材３０を嵌挿支持すると共に、操作部材３０を側壁カバー２０に穿設した操作孔３１から突出させている。これにより操作部材３０を押圧した状態で操作孔３１に沿って前後移動させると、カッター２１をカッター孔２６から突出させた切断位置と、没入させた格納位置とに切り換えることができる。
【００２４】
即ち、操作部材３０はカッター取付台２５の取付孔２７及び側壁カバー２０の操作孔３１に挿入可能な径大なストッパ軸部３２と、径小なスライド軸部３３を一体的に形成し、該スライド軸部３３の端部にボタン状の操作部３５を設けている。
操作部材３０の軸部は、側壁カバー２０の外側でスプリングホルダー３６を嵌挿し、スプリングホルダー３６と操作部３５の間に張圧用のバネ３７を挿入セットしている。
【００２５】
側壁カバー２０に穿設される操作孔３１は、カッター２１の切断位置と格納位置との前後位置でストッパ軸部３２を挿入する径大なスットパ孔３８，３８を、スライド軸部３３をスライド移動可能に挿入するスライド孔３９で接続形成している。
これにより切断位置と格納位置におけるカッター２１のロック状態において、操作部材３０のストッパ軸部３２はスットパ孔３８に嵌挿し、カッター２１の移動を係止固定することができる。
【００２６】
また操作部３５をバネ３７に抗して押動すると、ストッパ軸３２のロックを解除しスライド軸部３３をスライド孔３９内に沿ってカッター取付台２５と共に移動させることができ、次いで操作部３５の押動を解除することによりカッター２１を切断位置又は格納位置に再びロックすることができる。尚、カッター２１の切断位置と格納位置との切換手段は、上記スライド支持構造に限ることなく、例えばカッター２１を回転動作によって切断位置と格納位置に切換操作することもできる。
【００２７】
上記のように構成され側壁５に取付固定されるテープ貼付部６は、押接ロール１５の外周面下部に対し、支持台８の前側中央部に上方に向けて回動可能に付勢する板状の押接部材４０を設けている。図３，図４で示すように押接部材４０は、基部の軸支側を支持台８に切欠した取付穴４１に嵌挿した状態で、一側から両者に挿入される取付軸４２によって回動可能に軸支する。そして、両者の間に張圧用のコイルスプリング４３を挿入セットすることにより、接部材４０を上方に向けて押圧付勢する。
【００２８】
従って、ロールホルダー７にセットされたロール状粘着テープ２は、その繰り出し端を押接ロール１５と押接部材４０の間を通して引き出すことができ、図１，図２で示す貼付け作業状態にすることができる。
この際に、押接部材４０はスプリング４３に抗して下方に向けて大きく開くことができるので、押接ロール１５の外周面に対し粘着テープ２の位置決めセットを簡単且つ迅速に行うことができる。
【００２９】
また図２で示すように貼付け作業において、押接部材４０は粘着テープ２の繰り出し姿勢に応じて押接ロール１５側に押圧付勢しながら繰り出し案内をすると共に、支持台８側から押接ロール１５を先端部で押圧するので、切歯３で切断された粘着テープ２を押圧保持すると共に、押接ロール１５の逆転を抑制することができ、次位の貼付け作業も行い易くすることができる。
【００３０】
一方図示例のロールホルダー７は、側壁５に対し公知の構成によって片持状態で支持され、支持台８側からロール状の粘着テープ２を挿脱可能に挿入支持すると共に、粘着テープ２の繰り出し制動力を調節可能な構成となっている。
従って、この粘着テープカッター１は、把手９の上部にテープ巾を有して平坦面に形成される支持台８と、その前側に立設されるテープ貼付部６とで形成される空間部内で、ロールホルダー７にロール状粘着テープ２をセットするので、支持台８とテープ貼付部６に近接させたコンパクトな使用状態となり、ロール状粘着テープ２を嵩張らせることなく貼付け作業も行い易くすることができる等の特徴がある。
【００３１】
また支持台８のテープ巾の中央部から下方に延長形成される把手９は、作業者がテープ貼付部６と粘着テープ２の中間下方位置を縦方向に握り把持することができる。従って、粘着テープカッター１をバランスよく安定支持することができるので、把手９を手前に引いて行う貼付け作業時に手首を下方に大きく曲げる等の無理な姿勢を回避することができる。
【００３２】
また把手９を把持した使用姿勢において、テープ貼付部６及び粘着テープ２の繰り出しや貼付け状態が共に確認し易く、精度のよい貼付け作業を能率よく行うことができる。
また貼付けた粘着テープ２の切断を行う際には、把手９を手前に引きながら持ち上げるように操作をするだけで、切歯３を粘着テープ２の切断位置に強く押接することができ容易に切断することができる。
【００３３】
以上のように構成される粘着テープカッター１は、ロールホルダー７にロール状粘着テープ２をセットし、その繰り出し端を押接ロール１５と押接部材４０の間を通して切歯３側に位置させ、切歯カバー４を上方に開動し切歯３を露出させ使用状態にする。
次いで把手９を把持した状態で、被貼付部材Ｗに押接ロール１５を介し粘着テープ２の繰り出し端を押接し接着しながら手前に引くことにより、ダンボール箱の蓋を粘着テープ２で閉じる等の貼付け作業を行うことができる。
【００３４】
この際に、支持台８から下方に延長した把手９は把持し易く、無理なく手前に引くことができるので、粘着テープ２を簡単に貼付けることができる。また貼付けた直後に把手９を手前に引いて押接ロール１５を支点とするように持ち上げると、粘着テープ２の切断位置は切歯３に強く接触し簡単に切断されるので、複数の被貼付部材Ｗに対しても連続した一連の貼付け作業を能率よく行うことができる。
【００３５】
また貼付けられる粘着テープ２が切歯３によって切断されて自由端となる終端は、図２で示すように別の手で押さえて貼付ける等の煩雑な手間を要することなく、把手９を把持したままの一連の動作によって、弾力性を有する押接板１６の先端で押し均すように押圧するだけで簡単に貼付けることができる。また切歯３の後方上方に後退傾斜させて設けた押接板１６は、粘着テープ２の押し均しを滑らかにできると共に、粘着テープ２を切歯３で切断する作業を妨げない。
【００３６】
そして、ダンボール箱等の被貼付部材Ｗに貼付け蓋閉じをしている粘着テープ２を切開したい場合に、テープ貼付部６の前側に切断姿勢と格納姿勢とに切換可能なカッター２１を設けた粘着テープカッター１は、切開専用のカッターを別途に必要とすることなく、カッター２１を切断姿勢に切り換えるだけの簡単な操作によって、貼付け作業時と同様の把持操作姿勢を以て、既に貼付けられている粘着テープ２を簡単に切ることができるので、蓋開き作業等も能率よく行うことができる。
【図面の簡単な説明】
【００３７】
【図１】本発明の粘着テープカッターの全体構成を示す斜視図である。
【図２】図１の粘着テープカッターの全体構造と粘着テープ２の貼付け作業の態様を示す側面図である。
【図３】図１の要部の構成を一部破断をして示す正面図である。
【図４】テープ貼付部の構成を分解をして示す分解斜視図である。
【符号の説明】
【００３８】
１    粘着テープカッター
２    粘着テープ
３    切歯
４    切歯カバー
５    側壁
６    テープ貼付部
７    ロールホルダー
８    支持台
９    把手
１０  貼付部フレーム
１５  押接ロール
１６  押接板
２１  カッター
３０  操作部材
４０  押接部材
【図１】
2006151661.tif 000003
【図２】
2006151661.tif 000004
【図３】
2006151661.tif 000005
【図４】
2006151661.tif 000006